(57)【要約】【課題】開封した時から取り付けられたＩＣタグが通信を開始し、これにより開封時刻や開封後の経過時間を知ることのできる包装箱を提供する。【解決手段】開封時に切り取って開封する開封部の内面と、開封部の内面に接する部分の外面とのいずれか一方にＩＣタグを設け、他方に導電性物質を設ける。例えば、背面板３の上端部から、蓋部６と蓋貼着板７が順次延設され、蓋貼着板の先端部分が正面板２に貼着され、開封部となる帯状の引裂帯１０が先端部分より蓋部寄りに設けられていて、引裂帯の内面に導電性物質９が設けられ、これと接する正面板の外面にＩＣタグ８を設ける。【選択図】図３
2015110431.tif 000002
【特許請求の範囲】
【請求項１】
開封時に切り取って開封する開封部の内面と、該開封部の内面に接する部分の外面とのいずれか一方にＩＣタグを設け、他方に導電性物質を設けたことを特徴とする包装箱。
【請求項２】
前記開封部の内面に導電性物質を設け、前記開封部の内面に接する部分の外面にＩＣタグを設けたことを特徴とする請求項１に記載の包装箱。
【請求項３】
前記開封部が帯状に切り取って開封する引裂帯であることを特徴とする請求項１または２に記載の包装箱。
【請求項４】
前記包装箱が正面板と背面板を有して筒状に形成された胴部と、底部と、前記背面板の上端部より延設された蓋部とからなり、該蓋部の先端部に蓋貼着板が延設され、該蓋貼着板の先端部分が前記正面板に貼着されて構成されており、前記引裂帯が前記先端部分より前記蓋部寄りに設けられていることを特徴とする請求項３に記載の包装箱。
【請求項５】
上面が上蓋部と天井板とからなり、前記開封部が前記上蓋部に易切断線で囲まれて形成され、前記天井板が前記上蓋部の内面に接するように設けられていることを特徴とする請求項１または２に記載の包装箱。
【請求項６】
前記天井板に開口部が設けられていて、前記上蓋に設けられた前記開封部を切り取ることによって、前記開口部が露出することを特徴とする請求項５に記載の包装箱。
【発明の詳細な説明】
【技術分野】
【０００１】
本発明は、包装箱に関するものである。特に、ＩＣタグを備え、開封したことを検知できるようにした包装箱に関するものである。
【背景技術】
【０００２】
近年、ＩＣチップの集積回路化により小型化が進み、ＩＣチップとアンテナを組み合わせ小片としたＩＣタグが商品に取り付けられるようになった。そしてＩＣタグにより、その商品の管理や、あるいは偽造防止、いたずら防止などに利用されるようになってきた。また、工場においてもトレーサビリティの観点から、製品や中間製品、それに用いる部品、原材料の履歴を確認するのに用いられるようになり始めた。
【０００３】
例えば、いたずら防止としては、包装箱が開封されるとＩＣタグのアンテナが切断されるように、商品に取り付けられているものがある（特許文献１）。
【０００４】
この場合、梱包された状態で運送され、もし運搬の途中で不正に開梱されてしまったとき、開梱によりアンテナが切断され、通信不能となったり、通信距離が半分以下になったりするので、運送後に開梱されたことを確認できる。
【０００５】
一方、未開封の商品などが、開封された場所や時間を記録することが必要な場合がある。例えば、酸化により性能が大きく影響される物品では、開封され大気中に晒されて酸化が開始された後の酸化が進んだ時間を管理する必要がある。また、放射線などの人体に悪影響を与える物品の開封された時間なども管理する必要がある。
【０００６】
特に工場などで製品を製造する上で、原材料の使用を管理する場合、未開封の原材料の包装箱ではＩＣチップが通信を開始せず、原材料の包装箱を開封したときからの時間や開封した場所を管理するために、開封した時からＩＣチップが通信を開始することが求められる。
【０００７】
一方、別の周波数帯を通信可能な少なくとも２つのアンテナを有するＲＦＩＤタグを備え、アンテナの１つが容器の開封とともに通信不能に切断され、開梱されたことが確認できる構成とした包装容器がある（特許文献２）。
【０００８】
そして、切断されずに残されたアンテナで商品管理ができることから、上記の要求を満たせる可能性はある。しかし、このＲＦＩＤタグの場合、アンテナを２つ設ける必要があり、また、開封することによって一方が通信不能になるが、他方は通信が不能にならない必要があるなど、構造が複雑で、サイズも大きくなり、コスト的にも使用が限定される。
【０００９】
公知文献を以下に示す。
【先行技術文献】
【特許文献】
【００１０】
【特許文献１】特開２００９−１０４２６２号公報
【特許文献２】特許第４５１０１３３号公報
【発明の概要】
【発明が解決しようとする課題】
【００１１】
本発明は上記のような事情に鑑みてなされたもので、開封した時から取り付けられたＩ
Ｃタグが通信を開始し、これにより開封時刻や開封後の経過時間を知ることのできる包装箱を提供することを課題としている。
【課題を解決するための手段】
【００１２】
本発明は係る課題に鑑みなされたものであり、請求項１の発明は、開封時に切り取って開封する開封部の内面と、該開封部の内面に接する部分の外面とのいずれか一方にＩＣタグを設け、他方に導電性物質を設けたことを特徴とする包装箱である。
【００１３】
本発明の請求項２の発明は、前記開封部の内面に導電性物質を設け、前記開封部の内面に接する部分の外面にＩＣタグを設けたことを特徴とする請求項１に記載の包装箱である。
【００１４】
本発明の請求項３の発明は、前記開封部が帯状に切り取って開封する引裂帯であることを特徴とする請求項１または２に記載の包装箱である。
【００１５】
本発明の請求項４の発明は、前記包装箱が正面板と背面板を有して筒状に形成された胴部と、底部と、前記背面板の上端部より延設された蓋部とからなり、該蓋部の先端部に蓋貼着板が延設され、該蓋貼着板の先端部分が前記正面板に貼着されて構成されており、前記引裂帯が前記先端部分より前記蓋部寄りに設けられていることを特徴とする請求項３に記載の包装箱である。
【００１６】
本発明の請求項５の発明は、上面が上蓋部と天井板とからなり、前記開封部が前記上蓋部に易切断線で囲まれて形成され、前記天井板が前記上蓋部の内面に接するように設けられていることを特徴とする請求項１または２に記載の包装箱である。
【００１７】
本発明の請求項６の発明は、前記天井板に開口部が設けられていて、前記上蓋に設けられた前記開封部を切り取ることによって、前記開口部が露出することを特徴とする請求項５に記載の包装箱である。
【発明の効果】
【００１８】
本発明の包装箱は、開封した時からＩＣタグが通信を開始できる。また、これにより開封時刻や開封後の経過時間を知ることができる。
【図面の簡単な説明】
【００１９】
【図１】本発明の包装箱の第１の実施形態に用いるブランクの説明図である。
【図２】本発明の包装箱の第１の実施形態を模式的に斜視で示した説明図である。
【図３】本発明の包装箱の第１の実施形態を開封した状態の説明図である。
【図４】本発明の包装箱の第２の実施形態に用いるブランクの説明図である。
【図５】本発明の包装箱の第２の実施形態を模式的に斜視で示した説明図である。
【図６】本発明の包装箱の第２の実施形態を開封した状態の説明図である。
【発明を実施するための形態】
【００２０】
＜第１の実施形態＞
以下、本発明を実施するための第１の実施形態につき説明する。
図１は、本発明の包装箱の第１の実施形態に用いるブランクの説明図である。
図２は、本発明の包装箱の第１の実施形態を模式的に斜視で示した説明図である。
図３は、本発明の包装箱の第１の実施形態を開封した状態の説明図である。
【００２１】
第１の実施形態の包装箱１００は、板紙などからなる図１のようなブランク１０１を罫押しと同時に打ち抜いて製函して作られている。また、ブランク１０１を作成の前、ある
いは、作成後にＩＣタグや導電性物質を設けている。
【００２２】
ブランク１０１は、図１のように、底部を形成する底板１の上下の端部に正面板２と背面板３が対向して設けられ、また、底板１の左右の端部に、右側面板４と左側面板５が対向して設けられている。図１は主に外側となる面から見た図である。
【００２３】
背面板３には更に蓋部を形成する蓋板６と蓋貼着板７が延設されている。正面板２の外面にはＩＣタグ８が設けられ、また、蓋貼着板７には導電性物質９が、内面側に帯状に設けられている。包装箱１００が製函されたときに、正面板２に蓋貼着板７が重ねあわされたときに、導電性物質９にＩＣタグ８が重なり合うように設ける。
【００２４】
また、導電性物質９を挟むように、易引裂線が２本対向して設けられ引裂帯１０を形成している。更に蓋貼着板７には、正面板２に貼着するための貼着部１１が引裂帯１０より先端側に設けられている。
【００２５】
右側面板４と左側面板５の上下両端には、正面板２と背面板３に貼着して、胴部を筒状に形成するための貼着片１２、１２、１２、１２が設けられている。
【００２６】
導電性物質９は、金属箔や金属インキが用いることが出来る。金属箔としてはアルミニウム箔などを用いて、片面に接着剤（粘着剤を含む）を設けておいて、接着して設けるようにしても良い。金属インキとしては、例えばアルミペーストインキを用いて、塗布して設けるようにしても良い。
【００２７】
ＩＣタグ８は、詳細を図示しないが、一般的なものであり、ベース基材上に１つのアンテナとＩＣチップが電気的に接続されて設けられたインレットを有している。そして、リーダライタから発射される電波を受信し、微量な電力を発生させ、その電力で情報処理を行い、電波を送信するものである。そして、リーダライタはこの電波を読み取ってＩＣタグ８の情報を得ることができる。
【００２８】
このブランク１０１を用いて、包装箱１００を製函するには、底板１より垂直になるように右側面板４と左側面板５を折り曲げ、更に貼着片１２、１２、１２、１２を内方に折り曲げておいて、正面板２と背面板３を底板１より垂直になるように折り曲げ、貼着片１２、１２、１２、１２の外面を、正面板２と背面板３の内面に貼着させる。
【００２９】
次に、蓋部を形成する蓋板６を倒して、胴部上面を塞ぎ、蓋貼着板７を正面板２の外面に合わせ、貼着部１１で貼着し固定する。これにより、図２のような包装箱１００が製函される。図では、外観上見えない部分を必要に応じて点線で表している。
【００３０】
この製函された包装箱１００では、正面板２の外面に設けたＩＣタグ８が、蓋貼着板７の内面側に設けた導電性物質９に接触あるいは近接している。このように、導電性物質９とＩＣタグ８が接触あるいは近接していると、リーダライタからの電波の受信性能が著しく低下し、電力が発生せずＩＣチップの情報処理が行われない。
【００３１】
本実施形態の包装箱１００では、以上のように封緘した状態では、ＩＣタグ８はリーダライタから発射される電波を受信することができないので、交信が行われない。そして、図３のように、引裂帯１０を引き裂いて取り除くと、引裂帯１０の裏面（図の引裂帯１０は裏面を描いている）に設けられていた導電性物質９が、正面板２に設けられていたＩＣタグ８と離れる。
【００３２】
導電性物質９とＩＣタグ８とが離れると、初めてリーダライタからの電波を受信してＩ
Ｃタグ８が通信を開始するようになる。そして、導電性物質９を設けた引裂帯１０が取り除かれているので、再封しても、ＩＣタグ８は、リーダライタとの交信が可能である。
【００３３】
本実施形態の包装箱１００の使い方としては、工場で製品を製造するのに用いる原材料などを包装しておくのに用いることが出来る。工場に納入された包装箱１００を必要に応じて、開封して原材料を使用する。
【００３４】
この開封によって、包装箱１００のＩＣタグ８は、リーダライタからの電波を受信できるようになる。そして、ＩＣタグ８は、受信した電波により電力が発生して、情報処理が行われ、リーダライタに電波を発信させる。
【００３５】
このとき、リーダライタ側の管理コンピュータの持つ日時の情報から開封した日時が特定される。また、複数のリーダライタが、ＩＣタグ８からの送信を受けたり、受けなかったりすることから、そのＩＣタグ８の存在位置の範囲を特定することができる。
【００３６】
これらの情報は、リーダライタと有線であるいは無線で接続された管理コンピュータに保存される。また、これらの情報を、包装箱１００のＩＣタグ８のＩＣチップに保存しても良い。ＩＣチップに保存すれば管理コンピュータに接続されていないリーダライタでもこの情報を読み取ることができる。
【００３７】
以上のように、本実施形態の包装箱１００は、開封した時からＩＣタグ８が通信を開始するので、この通信開始をリーダライタで受信し、開封時刻や開封後の経過時間、あるいは、開封された場所を知ることができる。そして、これにより収納されていた、酸化により性能が大きく影響される物品や、人体に悪影響を与える物品などが開封後に影響を与えた時間や場所を知ることができ、管理することができる。
【００３８】
＜第２の実施形態＞
以下、本発明を実施するための第２の実施形態につき説明する。
図４は、本発明の包装箱の第２の実施形態に用いるブランクの説明図である。
図５は、本発明の包装箱の第２の実施形態を模式的に斜視で示した説明図である。
図６は、本発明の包装箱の第２の実施形態を開封した状態の説明図である。
【００３９】
第２の実施形態の包装箱２００は、包装箱１００と同様に、板紙などからなる図４のようなブランク２０１を罫押しと同時に打ち抜いて製函して作られている。また、ブランク２０１を作成の前あるいは作成後にＩＣタグや導電性物質を設けている。
【００４０】
ブランク２０１は、図４のように、底部を形成する底板２１の端部に正面板２２と背面板２３が対向して設けられ、また、底板１の左右に、右側面板２４と左側面板２５が対向して設けられている。
【００４１】
背面板２３には更に蓋部を形成する上蓋板２６が延設され、上蓋板２６の上端に蓋前貼着板２７と、左右に蓋右貼着板２８と蓋左貼着板２９が設けられている。そして、上蓋板２６には、破線状の切り込みによる易切断線３０で円形の開封部３１が設けられている。そして、円形の開封部３１の裏面には、導電性物質３２が開封部３１からはみ出さないように設けられている。
【００４２】
導電性物質３２は、金属箔や金属インキが用いることが出来る。金属箔としてはアルミニウム箔などを用いて、片面に接着剤（粘着剤を含む）を設けておいて、接着して設けるようにしても良い。金属インキとしては、例えばアルミペーストインキを用いて、塗布して設けるようにしても良い。
【００４３】
右側面板２４と左側面板２５の上下両端部には、正面板２２と背面板２３に貼着して、胴部を筒状に形成するための貼着片３３、３３、３３、３３が設けられている。
【００４４】
正面板２２の下端には、天井板３４が設けられている。そして、天井板３４の下端部には背面差込片３５が設けられ、左右の端部には右差込片３６と左差込片３７が設けられ、包装箱２００を組み立てたときに、それぞれ、背面板２３、右側面板２４、左側面板２５の内側に差し込むようになっている。
【００４５】
そして、天井板３４には、円形に開口された開口部３８が設けられている。そして、開口部３８のそばにはＩＣタグ３９が設けられている。開口部３８は、包装箱２００を組み立てて、天井板３４の上に上蓋板２６が重なったときに、開封部３１より小さく、開封部３１を取り去ったときに、開口部３８が露出し、内容物が取り出せるようになる。また、ＩＣタグ３９も開封部３１の下になるように設けられている。
【００４６】
ＩＣタグ３９は、詳細を図示しないが、一般的なものであり、ベース基材上に１つのアンテナとＩＣチップが電気的に接続されて設けられたインレットを有している。そして、リーダライタから発射される電波を受信し、微量な電力を発生させ、その電力で情報処理を行い、電波を送信するものである。そして、リーダライタはこの電波を読み取ってＩＣタグ３９の情報を得ることができる。
【００４７】
このブランク２０１を用いて、包装箱２００を製函するには、底板２１と垂直になるように右側面板２４と左側面板２５を折り曲げ、更に貼着片３３、３３、３３、３３を内方に折り曲げておいて、正面板２２と背面板２３を底板２１より垂直になるように折り曲げ、貼着片３３、３３、３３、３３の外面を、正面板２２と背面板２３の内面に貼着させる。
【００４８】
次に、天井板３４に設けられている背面差込片３５、右差込片３６、左差込片３７を内側に折り曲げ、天井板３４を正面板２２との間の折罫で内側に折り曲げ、背面差込片３５、右差込片３６、左差込片３７を、それぞれ、背面板２３、右側面板２４、左側面板２５の内側に差し込み、天井板３４で胴部上面を塞ぐようにする。
【００４９】
次に、上蓋板２６を背面板２３との間の折罫で折って、天井板３４の上に重ねる。そして、蓋前貼着板２７を正面板２２の外側に重ねて貼着する。また、蓋右貼着板２８と蓋左貼着板２９を、それぞれ、右側面板２４、左側面板２５の外側に重ねて貼着する。これにより、図５のような包装箱２００が製函される。
【００５０】
この製函された包装箱２００では、天井板３４の外面に設けたＩＣタグ３９が、上蓋板２６の内面側に設けた導電性物質３２に接触あるいは近接している。このように、導電性物質３２とＩＣタグ３９が接触あるいは近接していると、リーダライタからの電波の受信性能が著しく低下し、電力が発生せずＩＣチップの情報処理が行われない。
【００５１】
本実施形態の包装箱２００では、以上のように封緘した状態では、ＩＣタグ３９はリーダライタから発射される電波を受信することができないので、交信が行われない。そして、図６のように、易切断線３０を切断して開封部３１を取り除くと、開封部３１の裏面（図の開封部３１は裏面を描いている）に設けられていた導電性物質３２が、天井板３４に設けられていたＩＣタグ３９と離れる。
【００５２】
導電性物質３２とＩＣタグ３９とが離れると、初めてリーダライタからの電波を受信してＩＣタグ３９が通信を開始するようになる。そして、導電性物質３２を設けた開封部３
１が取り除かれているので、再封しても、ＩＣタグ３９は、リーダライタとの交信が可能である。
【００５３】
本実施形態の包装箱２００の使い方としては、工場で製品を製造するのに用いる原材料などを包装しておくのに用いることが出来る。工場に納入された包装箱２００を必要に応じて、開封して原材料を使用する。
【００５４】
この開封によって、包装箱２００のＩＣタグ３９は、リーダライタからの電波を受信できるようになる。そして、ＩＣタグ３９は、受信した電波により電力が発生して、情報処理が行われ、リーダライタに電波を発信させる。
【００５５】
このとき、リーダライタ側の管理コンピュータの持つ日時の情報から開封した日時が特定される。また、複数のリーダライタが、ＩＣタグ３９からの送信を受けたり、受けなかったりすることから、そのＩＣタグ３９の存在位置の範囲を特定することができる。
【００５６】
これらの情報は、リーダライタと有線であるいは無線で接続された管理コンピュータに保存される。また、これらの情報を、包装箱２００のＩＣタグ３９のＩＣチップに保存しても良い。ＩＣチップに保存すれば管理コンピュータに接続されていないリーダライタでもこの情報を読み取ることができる。
【００５７】
以上のように、本実施形態の包装箱２００は、開封した時からＩＣタグ３９が通信を開始するので、この通信開始をリーダライタで受信し、開封時刻や開封後の経過時間、あるいは、開封された場所を知ることができる。そして、これにより収納されていた、酸化により性能が大きく影響される物品や、人体に悪影響を与える物品などが開封後に影響を与えた時間や場所を知ることができ、管理することができる。
【符号の説明】
【００５８】
１００・・・包装箱
１０１・・・ブランク
１・・・底板
２・・・正面板
３・・・背面板
４・・・右側面板
５・・・左側面板
６・・・蓋板
７・・・蓋貼着板
８・・・ＩＣタグ
９・・・導電性物質
１０・・・引裂帯
１１・・・貼着部
１２、１２、１２、１２・・・貼着片
２００・・・包装箱
２０１・・・ブランク
２１・・・底板
２２・・・正面板
２３・・・背面板
２４・・・右側面板
２５・・・左側面板
２６・・・上蓋板
２７・・・蓋前貼着板
２８・・・蓋右貼着板
２９・・・蓋左貼着板
３０・・・切断線
３１・・・開封部
３２・・・導電性物質
３３、３３、３３、３３・・・貼着片
３４・・・天井板
３５・・・背面差込片
３６・・・右差込片
３７・・・左差込片
３８・・・開口部
３９・・・ＩＣタグ
【図１】
2015110431.tif 000003
【図２】
2015110431.tif 000004
【図３】
2015110431.tif 000005
【図４】
2015110431.tif 000006
【図５】
2015110431.tif 000007
【図６】
2015110431.tif 000008